(57)【要約】【課題】  複数のガンマ補正テーブルのうち適切なガンマ補正テーブルを更新することができるキャリブレーションシステム、キャリブレーション方法、画像形成装置およびキャリブレーションプログラムを提供する。【解決手段】  キャリブレーションシステムのＭＦＰは、複数のガンマ補正テーブルのうちテストチャートの印刷の際に適用されるガンマ補正テーブルを識別する図形を付与したテストシートを印刷し（Ｓ１０１）、テストシートおよびリファレンスチャートが同時にスマートフォンによってＳ１０２において撮影されて生成された画像におけるテストチャートおよびリファレンスチャートのパッチの色値に基づいてガンマ補正テーブルを生成し（Ｓ１０４）、画像におけるテストシートの図形によってＳ１０３において特定されたガンマ補正テーブルを、Ｓ１０４において生成したガンマ補正テーブルに更新することを特徴とする。【選択図】  図７
2016082527.tif 000002
【特許請求の範囲】
【請求項１】
撮影デバイスと、
複数の色のパッチを含むチャートの印刷によってシートを生成する画像形成装置と、
前記画像形成装置の階調特性を補正するためのガンマ補正テーブルを生成するテーブル生成手段とを備え、
前記画像形成装置は、
前記ガンマ補正テーブルを更新するテーブル更新手段と、
複数の前記ガンマ補正テーブルのうち前記チャートの印刷の際に適用されるガンマ補正テーブルを識別する識別情報を付与した前記シートを印刷するシート印刷手段とを備え、
前記テーブル生成手段は、前記シートと、前記チャートに対応するリファレンスチャートとが同時に前記撮影デバイスによって撮影されて生成された画像における前記チャートおよび前記リファレンスチャートのパッチの色値に基づいて、前記画像形成装置の階調特性を前記リファレンスチャートに沿った階調特性に補正する前記ガンマ補正テーブルを生成し、
前記テーブル更新手段は、前記画像における前記シートの前記識別情報によって特定される前記ガンマ補正テーブルを、前記テーブル生成手段によって生成された前記ガンマ補正テーブルに更新することを特徴とするキャリブレーションシステム。
【請求項２】
前記シート印刷手段は、図形の形状および個数の少なくとも１つによって構成される前記識別情報を前記シートに付与することを特徴とする請求項１に記載のキャリブレーションシステム。
【請求項３】
前記画像形成装置は、
画像データに対して複数のスクリーンの何れかを適用して中間調を再現するスクリーン処理手段と、
前記スクリーン処理手段によって適用される前記スクリーンに対応した前記ガンマ補正テーブルを適用して前記画像形成装置の階調特性を補正するガンマ補正手段とを備え、
前記識別情報は、前記チャートの印刷の際に適用される前記スクリーンを識別する情報であることを特徴とする請求項１または請求項２に記載のキャリブレーションシステム。
【請求項４】
前記画像形成装置は、前記テーブル生成手段を備えることを特徴とする請求項１から請求項３までの何れかに記載のキャリブレーションシステム。
【請求項５】
前記撮影デバイスは、
前記テーブル生成手段と、
前記テーブル生成手段によって生成された前記ガンマ補正テーブルを前記画像形成装置に送信するテーブル送信手段とを備え、
前記テーブル送信手段は、前記画像における前記シートの前記識別情報によって特定される前記ガンマ補正テーブルの情報も前記画像形成装置に送信することを特徴とする請求項１から請求項３までの何れかに記載のキャリブレーションシステム。
【請求項６】
複数の色のパッチを含むチャートの印刷によってシートを生成する画像形成装置の階調特性を補正するためのガンマ補正テーブルを生成するテーブル生成ステップと、
前記ガンマ補正テーブルを更新するテーブル更新ステップと、
複数の前記ガンマ補正テーブルのうち前記チャートの印刷の際に適用されるガンマ補正テーブルを識別する識別情報を付与した前記シートを印刷するシート印刷ステップとを備え、
前記テーブル生成ステップは、前記シートと、前記チャートに対応するリファレンスチャートとが同時に撮影デバイスによって撮影されて生成された画像における前記チャートおよび前記リファレンスチャートのパッチの色値に基づいて、前記画像形成装置の階調特性を前記リファレンスチャートに沿った階調特性に補正する前記ガンマ補正テーブルを生成するステップであり、
前記テーブル更新ステップは、前記画像における前記シートの前記識別情報によって特定される前記ガンマ補正テーブルを、前記テーブル生成ステップによって生成された前記ガンマ補正テーブルに更新するステップであることを特徴とするキャリブレーション方法。
【請求項７】
複数の色のパッチを含むチャートの印刷によってシートを生成する画像形成装置であって、
前記画像形成装置の階調特性を補正するためのガンマ補正テーブルを生成するテーブル生成手段と、
前記ガンマ補正テーブルを更新するテーブル更新手段と、
複数の前記ガンマ補正テーブルのうち前記チャートの印刷の際に適用されるガンマ補正テーブルを識別する識別情報を付与した前記シートを印刷するシート印刷手段とを備え、
前記テーブル生成手段は、前記シートと、前記チャートに対応するリファレンスチャートとが同時に撮影デバイスによって撮影されて生成された画像における前記チャートおよび前記リファレンスチャートのパッチの色値に基づいて、前記画像形成装置の階調特性を前記リファレンスチャートに沿った階調特性に補正する前記ガンマ補正テーブルを生成し、
前記テーブル更新手段は、前記画像における前記シートの前記識別情報によって特定される前記ガンマ補正テーブルを、前記テーブル生成手段によって生成された前記ガンマ補正テーブルに更新することを特徴とする画像形成装置。
【請求項８】
複数の色のパッチを含むチャートの印刷によってシートを生成する画像形成装置によって実行されるキャリブレーションプログラムであって、
前記画像形成装置の階調特性を補正するためのガンマ補正テーブルを生成するテーブル生成手段、
前記ガンマ補正テーブルを更新するテーブル更新手段、および、
複数の前記ガンマ補正テーブルのうち前記チャートの印刷の際に適用されるガンマ補正テーブルを識別する識別情報を付与した前記シートを印刷するシート印刷手段として前記画像形成装置を機能させ、
前記テーブル生成手段は、前記シートと、前記チャートに対応するリファレンスチャートとが同時に撮影デバイスによって撮影されて生成された画像における前記チャートおよび前記リファレンスチャートのパッチの色値に基づいて、前記画像形成装置の階調特性を前記リファレンスチャートに沿った階調特性に補正する前記ガンマ補正テーブルを生成し、
前記テーブル更新手段は、前記画像における前記シートの前記識別情報によって特定される前記ガンマ補正テーブルを、前記テーブル生成手段によって生成された前記ガンマ補正テーブルに更新することを特徴とするキャリブレーションプログラム。
【発明の詳細な説明】
【技術分野】
【０００１】
本発明は、階調特性を補正するキャリブレーションシステム、キャリブレーション方法、画像形成装置およびキャリブレーションプログラムに関する。
【背景技術】
【０００２】
従来、プリンター専用機、ＭＦＰ（Ｍｕｌｔｉｆｕｎｃｔｉｏｎ  Ｐｅｒｉｐｈｅｒａｌ）などの画像形成装置の経年変化などの原因による入出力特性の補正、所謂、ガンマ補正を行うキャリブレーションの方法として、ＭＦＰに付属のスキャナーや画像形成装置内の濃度センサーを使用して現在の出力色を測定し、出力色の色値が目標の色値になるように入出力特性を補正する方法が知られている。
【０００３】
ただし、機種の異なる画像形成装置間において出力色の色値を揃えるためには、分光測色器などの高価な専用の測色器が必要となる。しかしながら、専用の測色器を用意して使いこなすことは、一般的な利用者にとってハードルが高い。
【０００４】
そこで、専用の測色器の代替装置としてデジタルカメラやカメラ付携帯電話などの撮影デバイスを使用することによって、簡単で低コストなキャリブレーションを実現するキャリブレーションシステムが提案されている（例えば、特許文献１、２参照。）。
【０００５】
特許文献１に記載されたキャリブレーションシステムにおいては、まず、複数の色のパッチを含むリファレンスチャートと、リファレンスチャートに対応し画像形成装置によって印刷されたテストチャートとが、同時に撮影デバイスによって撮影される。そして、撮影デバイスによって撮影されて生成された画像におけるリファレンスチャートおよびテストチャートのそれぞれのパッチのＲＧＢ値に基づいて、画像形成装置の階調特性が補正される。
【０００６】
特許文献２に記載されたキャリブレーションシステムにおいては、まず、複数の色のパッチを含むリファレンスチャートと、リファレンスチャートに対応し画像形成装置によって印刷されたテストチャートとが、別々に撮影デバイスによって撮影される。次いで、撮影デバイスによって撮影されて生成された１つ目の画像におけるリファレンスチャートのパッチの色値と、撮影デバイスによって撮影されて生成された２つ目の画像におけるテストチャートのパッチの色値とに基づいて、第１補正値が算出される。また、撮影デバイスによって撮影されて生成された１つ目の画像におけるリファレンスチャートのパッチの色値と、画像形成装置内に事前に記憶されている基準の色値とに基づいて、第２補正値が算出される。そして、第１補正値および第２補正値に基づいて、画像形成装置の階調特性が補正される。
【先行技術文献】
【特許文献】
【０００７】
【特許文献１】特開２００６−２２２５５２号公報
【特許文献２】特開２０１０−２２６５６２号公報
【発明の概要】
【発明が解決しようとする課題】
【０００８】
しかしながら、特許文献１または特許文献２に記載されたキャリブレーションシステムにおいては、テストチャートの印刷の際に複数のガンマ補正テーブルの何れかが適用される場合について考慮されていないので、テストチャートの印刷の際に複数のガンマ補正テーブルの何れかが適用される場合には、複数のガンマ補正テーブルのうち適切なガンマ補正テーブルが更新されるとは限らないという問題がある。
【０００９】
そこで、本発明は、複数のガンマ補正テーブルのうち適切なガンマ補正テーブルを更新することができるキャリブレーションシステム、キャリブレーション方法、画像形成装置およびキャリブレーションプログラムを提供することを目的とする。
【課題を解決するための手段】
【００１０】
本発明のキャリブレーションシステムは、撮影デバイスと、複数の色のパッチを含むチャートの印刷によってシートを生成する画像形成装置と、前記画像形成装置の階調特性を補正するためのガンマ補正テーブルを生成するテーブル生成手段とを備え、前記画像形成装置は、前記ガンマ補正テーブルを更新するテーブル更新手段と、複数の前記ガンマ補正テーブルのうち前記チャートの印刷の際に適用されるガンマ補正テーブルを識別する識別情報を付与した前記シートを印刷するシート印刷手段とを備え、前記テーブル生成手段は、前記シートと、前記チャートに対応するリファレンスチャートとが同時に前記撮影デバイスによって撮影されて生成された画像における前記チャートおよび前記リファレンスチャートのパッチの色値に基づいて、前記画像形成装置の階調特性を前記リファレンスチャートに沿った階調特性に補正する前記ガンマ補正テーブルを生成し、前記テーブル更新手段は、前記画像における前記シートの前記識別情報によって特定される前記ガンマ補正テーブルを、前記テーブル生成手段によって生成された前記ガンマ補正テーブルに更新することを特徴とする。
【００１１】
この構成により、本発明のキャリブレーションシステムは、複数のガンマ補正テーブルのうちチャートの印刷の際に適用されるガンマ補正テーブルを識別する識別情報を付与したシートを画像形成装置によって印刷するとともに、ガンマ補正テーブルの生成のために撮影デバイスによって撮影されて生成された画像におけるシートの識別情報によって特定されるガンマ補正テーブルを更新するので、複数のガンマ補正テーブルのうち適切なガンマ補正テーブルを更新することができる。
【００１２】
また、本発明のキャリブレーションシステムにおいて、前記シート印刷手段は、図形の形状および個数の少なくとも１つによって構成される前記識別情報を前記シートに付与しても良い。
【００１３】
この構成により、本発明のキャリブレーションシステムは、ガンマ補正テーブルの生成のために撮影デバイスによって撮影されて生成された画像からの識別情報の読み取りを容易にすることができるので、画像からの識別情報の読み取りの処理負担を抑えることができる。
【００１４】
また、本発明のキャリブレーションシステムにおいて、前記画像形成装置は、画像データに対して複数のスクリーンの何れかを適用して中間調を再現するスクリーン処理手段と、前記スクリーン処理手段によって適用される前記スクリーンに対応した前記ガンマ補正テーブルを適用して前記画像形成装置の階調特性を補正するガンマ補正手段とを備え、前記識別情報は、前記チャートの印刷の際に適用される前記スクリーンを識別する情報であっても良い。
【００１５】
この構成により、本発明のキャリブレーションシステムは、チャートの印刷の際に適用されたガンマ補正テーブルだけでなくスクリーンも特定することができるので、利便性を向上することができる。
【００１６】
また、本発明のキャリブレーションシステムにおいて、前記画像形成装置は、前記テーブル生成手段を備えても良い。
【００１７】
この構成により、本発明のキャリブレーションシステムは、撮影デバイスがテーブル生成手段を備える必要がないので、一般的な撮影デバイスが使用されることができ、利便性を向上することができる。
【００１８】
また、本発明のキャリブレーションシステムにおいて、前記撮影デバイスは、前記テーブル生成手段と、前記テーブル生成手段によって生成された前記ガンマ補正テーブルを前記画像形成装置に送信するテーブル送信手段とを備え、前記テーブル送信手段は、前記画像における前記シートの前記識別情報によって特定される前記ガンマ補正テーブルの情報も前記画像形成装置に送信しても良い。
【００１９】
この構成により、本発明のキャリブレーションシステムは、画像形成装置にテーブル生成手段を備える必要がないので、ガンマ補正テーブルの更新の際の画像形成装置の処理負担を抑えることができる。
【００２０】
本発明のキャリブレーション方法は、複数の色のパッチを含むチャートの印刷によってシートを生成する画像形成装置の階調特性を補正するためのガンマ補正テーブルを生成するテーブル生成ステップと、前記ガンマ補正テーブルを更新するテーブル更新ステップと、複数の前記ガンマ補正テーブルのうち前記チャートの印刷の際に適用されるガンマ補正テーブルを識別する識別情報を付与した前記シートを印刷するシート印刷ステップとを備え、前記テーブル生成ステップは、前記シートと、前記チャートに対応するリファレンスチャートとが同時に撮影デバイスによって撮影されて生成された画像における前記チャートおよび前記リファレンスチャートのパッチの色値に基づいて、前記画像形成装置の階調特性を前記リファレンスチャートに沿った階調特性に補正する前記ガンマ補正テーブルを生成するステップであり、前記テーブル更新ステップは、前記画像における前記シートの前記識別情報によって特定される前記ガンマ補正テーブルを、前記テーブル生成ステップによって生成された前記ガンマ補正テーブルに更新するステップであることを特徴とする。
【００２１】
この構成により、本発明のキャリブレーション方法は、複数のガンマ補正テーブルのうちチャートの印刷の際に適用されるガンマ補正テーブルを識別する識別情報を付与したシートを画像形成装置によって印刷するとともに、ガンマ補正テーブルの生成のために撮影デバイスによって撮影されて生成された画像におけるシートの識別情報によって特定されるガンマ補正テーブルを更新するので、複数のガンマ補正テーブルのうち適切なガンマ補正テーブルを更新することができる。
【００２２】
本発明の画像形成装置は、複数の色のパッチを含むチャートの印刷によってシートを生成する画像形成装置であって、前記画像形成装置の階調特性を補正するためのガンマ補正テーブルを生成するテーブル生成手段と、前記ガンマ補正テーブルを更新するテーブル更新手段と、複数の前記ガンマ補正テーブルのうち前記チャートの印刷の際に適用されるガンマ補正テーブルを識別する識別情報を付与した前記シートを印刷するシート印刷手段とを備え、前記テーブル生成手段は、前記シートと、前記チャートに対応するリファレンスチャートとが同時に撮影デバイスによって撮影されて生成された画像における前記チャートおよび前記リファレンスチャートのパッチの色値に基づいて、前記画像形成装置の階調特性を前記リファレンスチャートに沿った階調特性に補正する前記ガンマ補正テーブルを生成し、前記テーブル更新手段は、前記画像における前記シートの前記識別情報によって特定される前記ガンマ補正テーブルを、前記テーブル生成手段によって生成された前記ガンマ補正テーブルに更新することを特徴とする。
【００２３】
この構成により、本発明の画像形成装置は、複数のガンマ補正テーブルのうちチャートの印刷の際に適用されるガンマ補正テーブルを識別する識別情報を付与したシートを印刷するとともに、ガンマ補正テーブルの生成のために撮影デバイスによって撮影されて生成された画像におけるシートの識別情報によって特定されるガンマ補正テーブルを更新するので、複数のガンマ補正テーブルのうち適切なガンマ補正テーブルを更新することができる。
【００２４】
本発明のキャリブレーションプログラムは、複数の色のパッチを含むチャートの印刷によってシートを生成する画像形成装置によって実行されるキャリブレーションプログラムであって、前記画像形成装置の階調特性を補正するためのガンマ補正テーブルを生成するテーブル生成手段、前記ガンマ補正テーブルを更新するテーブル更新手段、および、複数の前記ガンマ補正テーブルのうち前記チャートの印刷の際に適用されるガンマ補正テーブルを識別する識別情報を付与した前記シートを印刷するシート印刷手段として前記画像形成装置を機能させ、前記テーブル生成手段は、前記シートと、前記チャートに対応するリファレンスチャートとが同時に撮影デバイスによって撮影されて生成された画像における前記チャートおよび前記リファレンスチャートのパッチの色値に基づいて、前記画像形成装置の階調特性を前記リファレンスチャートに沿った階調特性に補正する前記ガンマ補正テーブルを生成し、前記テーブル更新手段は、前記画像における前記シートの前記識別情報によって特定される前記ガンマ補正テーブルを、前記テーブル生成手段によって生成された前記ガンマ補正テーブルに更新することを特徴とする。
【００２５】
この構成により、本発明のキャリブレーションプログラムを実行する画像形成装置は、複数のガンマ補正テーブルのうちチャートの印刷の際に適用されるガンマ補正テーブルを識別する識別情報を付与したシートを印刷するとともに、ガンマ補正テーブルの生成のために撮影デバイスによって撮影されて生成された画像におけるシートの識別情報によって特定されるガンマ補正テーブルを更新するので、複数のガンマ補正テーブルのうち適切なガンマ補正テーブルを更新することができる。
【発明の効果】
【００２６】
本発明のキャリブレーションシステム、キャリブレーション方法、画像形成装置およびキャリブレーションプログラムは、複数のガンマ補正テーブルのうち適切なガンマ補正テーブルを更新することができる。
【図面の簡単な説明】
【００２７】
【図１】本発明の一実施の形態に係るキャリブレーションシステムのブロック図である。
【図２】図１に示すスマートフォンのブロック図である。
【図３】図１に示すＭＦＰのブロック図である。
【図４】図３に示すガンマ補正テーブルの原理を示す図である。
【図５】（ａ）図３に示すチャート画像データに基づいて印刷されたテストシートの一例を示す図である。  （ｂ）図５（ａ）に示すテストシートと共に使用されるリファレンスシートの一例を示す図である。
【図６】図３に示す対応関係情報の一例を示す図である。
【図７】図１に示すキャリブレーションシステムにおけるキャリブレーションの方法のフローチャートである。
【図８】図７に示す画像解析処理のフローチャートである。
【図９】図７に示すガンマ補正テーブル生成処理のフローチャートである。
【図１０】図９に示すガンマ補正テーブル生成処理において生成される関係式の一例を示す図である。
【図１１】図３に示すＭＦＰの階調特性の一例を示す図である。
【図１２】図１に示すスマートフォンのブロック図であって、図２に示す例とは異なる例を示す図である。
【発明を実施するための形態】
【００２８】
以下、本発明の一実施の形態について、図面を用いて説明する。
【００２９】
まず、本実施の形態に係るキャリブレーションシステムの構成について説明する。
【００３０】
図１は、本実施の形態に係るキャリブレーションシステム１０のブロック図である。
【００３１】
図１に示すように、キャリブレーションシステム１０は、撮影デバイスとしてのスマートフォン２０と、画像形成装置としてのＭＦＰ（Ｍｕｌｔｉｆｕｎｃｔｉｏｎ  Ｐｅｒｉｐｈｅｒａｌ）３０とを備えている。スマートフォン２０と、ＭＦＰ３０とは、互いに通信可能に構成されている。ここで、スマートフォン２０と、ＭＦＰ３０とは、ＬＡＮ（Ｌｏｃａｌ  Ａｒｅａ  Ｎｅｔｗｏｒｋ）、インターネットなどのネットワーク１１経由で互いに通信可能であっても良いし、ネットワーク１１を経由せずにＵＳＢ（Ｕｎｉｖｅｒｓａｌ  Ｓｅｒｉａｌ  Ｂｕｓ）ケーブルなどの通信ケーブル経由で互いに直接通信可能であっても良い。
【００３２】
図２は、スマートフォン２０のブロック図である。
【００３３】
図２に示すように、スマートフォン２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、カメラ２３と、ネットワーク１１（図１参照。）や通信ケーブル経由で外部の装置と通信を行う通信デバイスである通信部２４と、各種のデータを記憶しているＨＤＤ（Ｈａｒｄ  Ｄｉｓｋ  Ｄｒｉｖｅ）などの不揮発性の記憶デバイスである記憶部２５と、スマートフォン２０全体を制御する制御部２６とを備えている。
【００３４】
制御部２６は、例えば、ＣＰＵ（Ｃｅｎｔｒａｌ  Ｐｒｏｃｅｓｓｉｎｇ  Ｕｎｉｔ）と、各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２５に記憶されているプログラムを実行する。
【００３５】
図３は、ＭＦＰ３０のブロック図である。
【００３６】
図３に示すように、ＭＦＰ３０は、種々の操作が入力されるボタンなどの入力デバイスである操作部３１と、種々の情報を表示するＬＣＤなどの表示デバイスである表示部３２と、原稿から画像を読み取る読取デバイスであるスキャナー３３と、用紙などの記録媒体に印刷を実行する印刷デバイスであるプリンター３４と、図示していない外部のファクシミリ装置と公衆電話回線などの通信回線経由でファックス通信を行うファックスデバイスであるファックス通信部３５と、ネットワーク１１（図１参照。）や通信ケーブル経由で外部の装置と通信を行う通信デバイスである通信部３６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤなどの不揮発性の記憶デバイスである記憶部３７と、ＭＦＰ３０全体を制御する制御部３８とを備えている。
【００３７】
記憶部３７は、プリンター３４の階調特性を補正するためのキャリブレーションプログラム３７ａを記憶している。キャリブレーションプログラム３７ａは、ＭＦＰ３０の製造段階でＭＦＰ３０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ３０に追加でインストールされても良いし、ネットワーク１１上からＭＦＰ３０に追加でインストールされても良い。
【００３８】
また、記憶部３７は、ＭＦＰ３０の階調特性を補正するためのガンマ補正テーブル（ＬＵＴ：Ｌｏｏｋｕｐ  Ｔａｂｌｅ）３７ｂを複数記憶している。
【００３９】
図４は、ガンマ補正テーブル３７ｂの原理を示す図である。
【００４０】
図４に示すように、プリンター３４の実際の階調特性４１が期待される階調特性４２からずれていても、プリンター３４の実際の階調特性４１にガンマ補正テーブル３７ｂを適用することによって、期待される階調特性４２を実現することができる。
【００４１】
図３に示すように、記憶部３７は、複数の色のパッチを含むチャートの画像データとしてのチャート画像データ３７ｃと、デバイスに非依存の色度値がパッチに対して既知であるリファレンスチャートのパッチそれぞれの色度値を示すリファレンス色度値情報３７ｄとを記憶している。
【００４２】
なお、以下においては、デバイスに非依存の色度値を、ＸＹＺ値として説明する。
【００４３】
図５（ａ）は、チャート画像データ３７ｃに基づいて印刷されたシートとしてのテストシート５０の一例を示す図である。図５（ｂ）は、テストシート５０と共に使用されるリファレンスシート６０の一例を示す図である。
【００４４】
図５に示すように、テストシート５０は、複数の色のパッチ５１ａを含むチャートとしてのテストチャート５１と、リファレンスシート６０が配置される位置を示す枠線５２と、テストチャート５１を囲む枠線５３と、枠線５２および枠線５３を囲む枠線５４とがプリンター３４によって印刷されたものである。また、テストシート５０は、後述のスクリーンを識別する図形５５が印刷されている。
【００４５】
リファレンスシート６０は、複数の色のパッチ６１ａを含むリファレンスチャート６１が描かれているものである。リファレンスチャート６１は、テストチャート５１が左右反転されたものと同様であり、テストチャート５１に対応するチャートである。リファレンスチャート６１は、プリンター３４によって印刷されたものではないので、テストチャート５１と比較して、色値に関して精度が優れている。
【００４６】
図３に示すように、記憶部３７は、中間調を再現するために画像データに対して適用される複数のスクリーン３７ｅと、スクリーン３７ｅおよびガンマ補正テーブル３７ｂの対応関係を示す対応関係情報３７ｆとを記憶している。
【００４７】
図６は、対応関係情報３７ｆの一例を示す図である。
【００４８】
図６に示すように、対応関係情報３７ｆは、図形５５の形状および個数の組み合わせと、スクリーン３７ｅを識別する番号を示すスクリーン番号と、ガンマ補正テーブル３７ｂを識別する番号を示すガンマ補正テーブル番号との対応関係を示す情報である。例えば、図５（ａ）に示すテストシート５０は、図形５５が３個の黒色の四角形（■）であるので、スクリーン番号が３のスクリーン３７ｅと、ガンマ補正テーブル番号が１のガンマ補正テーブル３７ｂとが適用されて印刷されたシートであることが分かる。
【００４９】
図３に示す制御部３８は、例えば、ＣＰＵと、プログラムおよび各種のデータを記憶しているＲＯＭと、ＣＰＵの作業領域として用いられる主記憶デバイスとしてのＲＡＭとを備えている。ＣＰＵは、ＲＯＭに記憶されているプログラムを実行する。
【００５０】
制御部３８は、記憶部３７に記憶されているキャリブレーションプログラム３７ａを実行することによって、画像データに対して複数のスクリーン３７ｅの何れかを適用して中間調を再現するスクリーン処理手段３８ａ、スクリーン処理手段３８ａによって適用されるスクリーン３７ｅに対応したガンマ補正テーブル３７ｂを適用してＭＦＰ３０の階調特性を補正するガンマ補正手段３８ｂ、複数のガンマ補正テーブル３７ｂのうちテストチャート５１の印刷の際に適用されるガンマ補正テーブル３７ｂを識別する識別情報としての図形５５を付与したテストシート５０を印刷するシート印刷手段３８ｃ、ＭＦＰ３０の階調特性を補正するためのガンマ補正テーブルを生成するテーブル生成手段３８ｄ、および、ガンマ補正テーブル３７ｂを更新するテーブル更新手段３８ｅとして機能する。
【００５１】
次に、キャリブレーションシステム１０におけるキャリブレーションの方法について説明する。
【００５２】
図７は、キャリブレーションシステム１０におけるキャリブレーションの方法のフローチャートである。
【００５３】
図７に示すように、利用者は、ＭＦＰ３０の操作部３１などを介して、テストシート５０の生成をＭＦＰ３０に指示する。したがって、ＭＦＰ３０のシート印刷手段３８ｃは、テストチャート５１をプリンター３４によって印刷してテストシート５０を生成する（Ｓ１０１）。ここで、テストチャート５１の印刷の際に、スクリーン処理手段３８ａは、チャート画像データ３７ｃに対して複数のスクリーン３７ｅのうち、利用者によって指定されたスクリーン３７ｅなど、特定のスクリーン３７ｅを適用して中間調を再現する。また、テストチャート５１の印刷の際に、ガンマ補正手段３８ｂは、スクリーン処理手段３８ａによって適用されるスクリーン３７ｅに対応関係情報３７ｆにおいて対応しているガンマ補正テーブル３７ｂを適用してＭＦＰ３０の階調特性を補正する。そして、シート印刷手段３８ｃは、テストチャート５１の印刷の際に適用されるガンマ補正テーブル３７ｂを識別する図形５５を対応関係情報３７ｆに基づいて付与したテストシート５０を印刷する。
【００５４】
利用者は、Ｓ１０１の工程の後、リファレンスシート６０をテストシート５０の枠線５２内に配置した状態で、スマートフォン２０のカメラ２３によってテストシート５０を撮影する（Ｓ１０２）。したがって、スマートフォン２０は、テストチャート５１と、リファレンスチャート６１とを同時に撮影して画像を生成し、生成した画像をＭＦＰ３０に送信する。
【００５５】
次いで、ＭＦＰ３０のテーブル生成手段３８ｄは、スマートフォン２０から送信されてきた画像を解析する図８に示す画像解析処理を実行する（Ｓ１０３）。
【００５６】
図８は、図７に示す画像解析処理のフローチャートである。
【００５７】
図８に示すように、テーブル生成手段３８ｄは、画像におけるチャートのパッチのそれぞれに対して色値を取得する（Ｓ１３１）。
【００５８】
なお、以下においては、画像における色値を、ＲＧＢ値として説明する。
【００５９】
テーブル生成手段３８ｄは、Ｓ１３１の処理の後、画像における図形５５の形状および個数を認識する（Ｓ１３２）。
【００６０】
次いで、テーブル生成手段３８ｄは、Ｓ１３２において認識した形状および個数に対応関係情報３７ｆにおいて対応付けられているガンマ補正テーブル３７ｂおよびスクリーン３７ｅを特定して（Ｓ１３３）、図８に示す画像解析処理を終了する。
【００６１】
図７に示すように、テーブル生成手段３８ｄは、Ｓ１０３の画像解析処理の後、図９に示すガンマ補正テーブル生成処理を実行する（Ｓ１０４）。
【００６２】
図９は、図７に示すガンマ補正テーブル生成処理のフローチャートである。
【００６３】
図９に示すように、テーブル生成手段３８ｄは、画像におけるリファレンスチャート６１のパッチ６１ａのＲＧＢ値と、このパッチ６１ａの既知のＸＹＺ値との対応関係を示す図１０に示すような関係式を取得する（Ｓ１６１）。ここで、テーブル生成手段３８ｄは、リファレンスチャート６１のパッチ６１ａのそれぞれの既知のＸＹＺ値を、リファレンス色度値情報３７ｄに基づいて取得することができる。したがって、テーブル生成手段３８ｄは、画像におけるＲＧＢ値が、どのようなＸＹＺ値に対応するのかということを、リファレンスチャート６１の複数のパッチ６１ａに基づいて認識することができる。
【００６４】
テーブル生成手段３８ｄは、Ｓ１６１の処理の後、画像におけるテストチャート５１のパッチ５１ａのそれぞれのＲＧＢ値を、Ｓ１６１において取得した関係式に代入することによって、テストチャート５１のパッチ５１ａのＭＦＰ３０による出力色のＸＹＺ値を取得する（Ｓ１６２）。したがって、テーブル生成手段３８ｄは、図１１に示すように、ＭＦＰ３０の階調特性７１を取得することができる。なお、階調特性７１は、テストチャート５１のパッチ５１ａに対するチャート画像データ３７ｃにおける色値、すなわち、入力色値と、このパッチ５１ａに対してＳ１６２において取得したＸＹＺ値との関係である。また、テーブル生成手段３８ｄは、図１１に示すように、テストチャート５１のパッチ５１ａに対するチャート画像データ３７ｃにおける色値、すなわち、入力色値と、このパッチ５１ａに対応するリファレンスチャート６１のパッチに対してリファレンス色度値情報３７ｄにおいて設定されているＸＹＺ値との関係７２を取得することができる。
【００６５】
テーブル生成手段３８ｄは、Ｓ１６２の処理の後、ＭＦＰ３０の階調特性７１を図１１に示す矢印のようにリファレンスチャート６１における関係７２に補正するガンマ補正テーブルを生成する（Ｓ１６３）。すなわち、テーブル生成手段３８ｄは、テストチャート５１のパッチ５１ａのＭＦＰ３０による出力色のＸＹＺ値と、リファレンスチャート６１のパッチ６１ａの既知のＸＹＺ値との差に基づいて、ＭＦＰ３０の階調特性７１をリファレンスチャート６１に沿った階調特性に補正するガンマ補正テーブルを生成する。
【００６６】
テーブル生成手段３８ｄは、Ｓ１６３の処理を終了した後、図９に示すガンマ補正テーブル生成処理を終了する。
【００６７】
図７に示すように、テーブル更新手段３８ｅは、記憶部３７上の複数のガンマ補正テーブル３７ｂのうち、Ｓ１３３において特定されたガンマ補正テーブル３７ｂを、Ｓ１０４のガンマ補正テーブル生成処理において生成されたガンマ補正テーブルに更新することによって、キャリブレーションを実行する（Ｓ１０５）。
【００６８】
以上に説明したように、キャリブレーションシステム１０は、複数のガンマ補正テーブル３７ｂのうちテストチャート５１の印刷の際に適用されるガンマ補正テーブル３７ｂを識別する図形５５を付与したテストシート５０をＭＦＰ３０によって印刷する（Ｓ１０１）とともに、ガンマ補正テーブル３７ｂの生成のためにスマートフォン２０によってＳ１０２において撮影されて生成された画像におけるテストシート５０の図形５５によってＳ１３３において特定されるガンマ補正テーブル３７ｂを更新する（Ｓ１０５）ので、複数のガンマ補正テーブル３７ｂのうち適切なガンマ補正テーブル３７ｂを更新することができる。
【００６９】
キャリブレーションシステム１０は、ガンマ補正テーブル３７ｂの識別情報として図形５５の形状および個数を採用しているので、ガンマ補正テーブル３７ｂの生成のためにスマートフォン２０によって撮影されて生成された画像からの識別情報の読み取りを容易にすることができるので、画像からの識別情報の読み取りの処理負担を抑えることができる。
【００７０】
なお、キャリブレーションシステム１０は、ガンマ補正テーブル３７ｂの識別情報として図形５５の形状および個数の組み合わせ以外を採用しても良い。例えば、キャリブレーションシステム１０は、図形５５の形状および個数の何れか一方のみでガンマ補正テーブル３７ｂの識別情報を表現しても良い。
【００７１】
キャリブレーションシステム１０は、図形５５の形状および個数の組み合わせによって表現している識別情報がスクリーン３７ｅを識別する情報でもあるので、テストチャート５１の印刷の際に適用されたガンマ補正テーブル３７ｂだけでなくスクリーン３７ｅも特定することができ、利便性を向上することができる。
【００７２】
なお、キャリブレーションシステム１０は、図形５５の形状および個数の組み合わせによってスクリーン３７ｅを識別せずにガンマ補正テーブル３７ｂのみを識別する構成であっても良い。
【００７３】
キャリブレーションシステム１０は、ＭＦＰ３０がテーブル生成手段３８ｄを備えているので、撮影デバイスがテーブル生成手段を備える必要がない。したがって、キャリブレーションシステム１０は、撮影デバイスとして、スマートフォン２０のような高機能のデバイスが使用される必要がなく、一般的な撮影デバイスが使用されることができ、利便性を向上することができる。
【００７４】
なお、キャリブレーションシステム１０は、以上において、Ｓ１０３およびＳ１０４の処理をＭＦＰ３０で実行しているが、Ｓ１０３およびＳ１０４の処理の少なくとも一部がスマートフォン２０において実行されても良い。例えば、Ｓ１０３およびＳ１０４の処理が全てスマートフォン２０において実行される場合、スマートフォン２０の制御部２６は、図１２に示すように、ＭＦＰ３０の階調特性を補正するためのガンマ補正テーブルを生成するテーブル生成手段２６ａ、および、テーブル生成手段２６ａによって生成されたガンマ補正テーブルをＭＦＰ３０に送信するテーブル送信手段２６ｂとして機能する。テーブル送信手段２６ｂは、画像におけるテストシート５０の図形５５によって特定されるガンマ補正テーブル３７ｂの情報もＭＦＰ３０に送信する。Ｓ１０３およびＳ１０４の処理が全てスマートフォン２０において実行される場合、ＭＦＰ３０にテーブル生成手段を備える必要がないので、ガンマ補正テーブル３７ｂの更新の際のＭＦＰ３０の処理負担を抑えることができる。
【００７５】
本発明の画像形成装置は、本実施の形態においてＭＦＰであるが、ＭＦＰ以外の画像形成装置であっても良い。例えば、本発明の画像形成装置は、プリンター専用機、コピー専用機、ファックス専用機などの画像形成装置であっても良い。
【００７６】
本発明の撮影デバイスは、本実施の形態においてスマートフォンであるが、スマートフォン以外の撮影デバイスであっても良い。例えば、本発明の撮影デバイスは、デジタルカメラなどの撮影デバイスであっても良い。
【符号の説明】
【００７７】
１０  キャリブレーションシステム
２０  スマートフォン（撮影デバイス）
２６ａ  テーブル生成手段
２６ｂ  テーブル送信手段
３０  ＭＦＰ（画像形成装置）
３７ａ  キャリブレーションプログラム
３７ｂ  ガンマ補正テーブル
３７ｃ  チャート画像データ（画像データ）
３７ｅ  スクリーン
３８ａ  スクリーン処理手段
３８ｂ  ガンマ補正手段
３８ｃ  シート印刷手段
３８ｄ  テーブル生成手段
３８ｅ  テーブル更新手段
４１  階調特性
４２  階調特性
５０  テストシート（シート）
５１  テストチャート（チャート）
５１ａ  パッチ
５５  図形（識別情報）
６１  リファレンスチャート
６１ａ  パッチ
７１  階調特性
【図１】
2016082527.tif 000003
【図２】
2016082527.tif 000004
【図３】
2016082527.tif 000005
【図４】
2016082527.tif 000006
【図６】
2016082527.tif 000007
【図７】
2016082527.tif 000008
【図８】
2016082527.tif 000009
【図９】
2016082527.tif 000010
【図１０】
2016082527.tif 000011
【図１１】
2016082527.tif 000012
【図１２】
2016082527.tif 000013
【図５】
2016082527.tif 000014